(57)【要約】【課題】画一的な空間を入居者のニーズに合致する多様な空間に形成すること【解決手段】複数の居室３が集合してなる共同住宅１において、上記居室３に部屋と部屋を区画する敷居３１ａ、３１ｂ、３１ｃを複数各平行に設け、いずれかの敷居に取り付けられる複数枚の引戸３３にて組を構成する。一組の引戸３３は夫々の対向面３５、３６の中芯部の一方に突合突起３７を設けるとともに他方に上記突合突起に対応する突合溝３９を設ける。上記一組の引戸３３を所望の部位に突合仕様又は召合仕様にて使用する。このように予め設けられたいずれかの部位にある敷居と引戸３３の仕様設定を適宜に組み合わせることにより、区画すべき部屋に応じて壁としたり、開閉自在の引戸３３とすることができるから、使い勝手が自在となり、共同住宅の一居室という画一的な空間の使用自由度が格段に向上する。【選択図】図１
2006241694.tif 000002
【特許請求の範囲】
【請求項１】
複数の居室が集合してなる共同住宅において、上記居室に部屋と部屋を区画する敷居を複数各平行に設け、いずれかの敷居に取り付けられる複数枚の引戸にて組を構成し、一組の引戸は夫々の対向面の中芯部の一方に突合突起を設けるとともに他方に上記突合突起に対応する突合溝を設け、上記一組の引戸を所望の部位に突合仕様又は召合仕様にて使用することを特徴とする共同住宅。
【請求項２】
上記突合突起及び上記突合溝が上下方向に線状に設けられることを特徴とする請求項１記載の共同住宅。
【請求項３】
上記突合突起が断面半円形に突出することを特徴とする請求項１記載の共同住宅。
【請求項４】
上記突合突起が断面方形に突出することを特徴とする請求項１記載の共同住宅。
【請求項５】
上記一組の引戸が上記敷居のいずれか１に取り付けられることを特徴とする請求項１記載の共同住宅。
【請求項６】
上記一組の引戸が上記敷居のいずれか２以上に取り付けられることを特徴とする請求項１記載の共同住宅。
【発明の詳細な説明】
【技術分野】
【０００１】
本願発明は共同住宅に関し、とくに居室の使用自由度を改良したものである。
【背景技術】
【０００２】
賃貸アパートや賃貸マンションの入居者は、例えば、学生、ＯＬ、サラリーマン等種々の職業からなり、また若い世代から年配まで年齢層も種々である。さらに長期に住まう者からいわゆるマンスリー型、ウイークリー型として短期に住まう者まで種々である。さらにまた独身者から世帯者まで種々である。
【０００３】
共同住宅はこのように種々の入居者の多様なライフスタイルに対応する必要がある。しかしながら、賃貸経営の面より考えると、コスト上、建物構造は画一的にならざるを得ないという宿命がある。
【発明の開示】
【発明が解決しようとする課題】
【０００４】
本願発明はこのようなアンチノミーとなる要請を同時に達成することを目的とする。具体的には、画一的な空間を入居者のニーズに合致する多様な空間に形成することである。
【課題を解決するための手段】
【０００５】
上記目的達成のため、本願発明による共同住宅は、複数の居室が集合してなる共同住宅において、上記居室に部屋と部屋を区画する敷居を複数各平行に設け、いずれかの敷居に取り付けられる複数枚の引戸にて組を構成し、一組の引戸は夫々の対向面の中芯部の一方に突合突起を設けるとともに他方に上記突合突起に対応する突合溝を設け、上記一組の引戸を所望の部位に突合仕様又は召合仕様にて使用することを特徴とする共同住宅。
また、上記突合突起及び上記突合溝が上下方向に線状に設けられることを特徴とする。
また、上記突合突起が断面半円形に突出することを特徴とする。
また、上記突合突起が断面方形に突出することを特徴とする。
また、上記一組の引戸が上記敷居のいずれか１に取り付けられることを特徴とする。
また、上記一組の引戸が上記敷居のいずれか２以上に取り付けられることを特徴とする。
【発明の効果】
【０００６】
本願発明によれば、予め設けられたいずれかの部位にある敷居と引戸の仕様設定を適宜に組み合わせることにより、区画すべき部屋に応じて壁としたり、開閉自在の引戸とすることができるから、使い勝手が自在となり、共同住宅の一居室という画一的な空間の使用自由度が格段に向上する。よって画一的な空間を入居者のニーズに合致する多様な空間に形成することができる。
【発明を実施するための最良の形態】
【０００７】
次に、実施の形態を示す図面に基づき本願発明による共同住宅をさらに詳しく説明する。なお、便宜上同一の機能を奏する部分には同一の符号を付してその説明を省略する。
【０００８】
図１は共同住宅１の居室３の基本形を示す。まず居室ヘッド部５がある。これは玄関７の左側に脱衣所を設けた洗面所９、洗濯機置場１１があり、その隣に浴室１３を設ける。また玄関７の右側に便所１５を設け、洗面所９、洗濯機置場１１、浴室１３、便所１５といった水回り部を集約する。玄関７の向いは玄関ホール１７となっている。１９はロッカーである。上記居室ヘッド部５は所定のモジュール単位において形成する。
【０００９】
上記居室ヘッド部５に対向して居室部２１がある。これは、中央部２０にて左右に区画し、左側が個室系２３、右側が共用系２５となっている。居室部２１を分ける区画もまた所定のモジュール単位において形成する。２２は押入である。
【００１０】
共用系の居室部２１には、台所２７と食堂兼居間２９を形成する。３０はバルコニーである。
【００１１】
上記個室系の居室部２３には、中央部に適宜間隔をおいて敷居３１（各敷居を区別するときは「３１ａ」「３１ｂ」「３１ｃ」の如きいう）が３個設けられる。この敷居３１の設置部位も所定のモジュール単位において形成する。
【００１２】
３３は上記敷居３１ａ、３１ｂ、３１ｃのいずれか一に取り付けられる引戸である。該引戸３３は３枚１組となっており、対向面３５の中芯部の一方に断面半円形の突合突起３７を上下方向に線状に設けるとともに、他方の対向面３６に上記突合突起３７に対応する突合溝３９を設ける。３４は上記引戸３３の下部に取り付けられるキャスターである。
【００１３】
引戸３３の取付けは、図２に示すような召合仕様、図３に示すような突合仕様があり、開閉自在の出入口を設けて使用したいときは前者の取付けにし、壁として使用したいときは後者の取付けとする。
【００１４】
図４乃至図６は引戸３３による間仕切例を示す。図４は１組の引戸３３を押入２２側の敷居３１ａに取り付け、押入２２をウォークインクロゼット２３Ａとして使用する場合である。この実施例の場合の引戸３３の仕様は図２に示す召合仕様とする。図４は敷居３１ｃにも召合仕様の引戸３３を取付け、個室系居室部２３を２室２３Ｂ、２３Ｃに使用している。
【００１５】
図５は１組の引戸３３を中央の敷居３１ｂに取り付け、個室系居室部２３を２室２３Ｄ、２３Ｅに区画し、後者を食堂兼居間２９と連続させてリビングを広くする場合である。この実施例の場合の引戸３３の仕様は図３に示す突合仕様とする。
【００１６】
図６は１組の引戸３３を中央部の２個の敷居３１ｂ、３１ｃに取り付け、居室部２３を個室系の居室部２３Ｆ、２３Ｈとし、ルームシェア型とする場合である。この実施例の場合の引戸３３の仕様は、敷居３１ｂの側は図３に示す突合仕様、敷居３１ｃの側は図２に示す召合仕様であり、真中に形成された居室部２３Ｇが廊下となる。
【００１７】
このように上記実施の形態によれば、図１に示すような画一的な居室３の空間を図４乃至図６に示すような各人のライフスタイルに合わせた多様な空間に形成することができる。この際、各部屋の都合により、壁として使用したいときは図３に示すような突合仕様とし、開閉自在の出入口を設けて使用したいときは図２に示すような召合仕様とする。このように敷居３１の使用部位及び引戸３３の仕様設定を適宜に組み合わせれば使い勝手が自在となり、共同住宅の一居室という画一的な空間の使用自由度が格段に向上する。
【００１８】
本願発明は上記した実施の形態に限定されない。例えば敷居３１の本数は任意であり、これによって区画される部屋の数も任意である。また１組を構成する引戸３３の箇数も任意である。
【００１９】
また突合突起３７の形状は必ずしも断面半円形とされず、例えば断面方形に突出してもよい。この場合突合溝３９の形状もまた断面方形に切欠される。
【産業上の利用可能性】
【００２０】
本願発明はアパートやマンション等の共同住宅の居室の部屋の区画に活用することができる。
【図面の簡単な説明】
【００２１】
【図１】本願発明による共同住宅の実施の形態を示す平面図である。
【図２】（Ａ）は図１の引戸の召合仕様を示す正面図、（Ｂ）は（Ａ）のＢ−Ｂ断面図、（Ｃ）は（Ｂ）のＣ部拡大図、（Ｄ）は（Ａ）のＤ−Ｄ断面図、（Ｅ）は（Ｄ）のＥ部拡大図である。
【図３】（Ａ）は図１の引戸の突合仕様を示す正面図、（Ｂ）は（Ａ）のＢ−Ｂ断面図、（Ｃ）は（Ｂ）のＣ部拡大図、（Ｄ）は（Ａ）のＤ−Ｄ断面図、（Ｅ）は（Ｄ）のＥ部拡大図である。
【図４】本願発明による共同住宅の間仕切例を示す平面図である。
【図５】本願発明による共同住宅の間仕切例を示す平面図である。
【図６】本願発明による共同住宅の間仕切例を示す平面図である。
【符号の説明】
【００２２】
１    共同住宅
３    居室
５    居室ヘッド部
７    玄関
９    洗面所
１１  洗濯機置場
１３  浴室
１５  便所
１７  玄関ホール
１９  ロッカー
２０  中央部
２１  居室部
２２  押入
２３  個室系居室部
２５  共用系居室部
２７  台所
２９  食堂兼居間
３０  バルコニー
３１  敷居
３３  引戸
３４  キャスタ
３５  対向面
３６  対向面
３７  突合突起
３９  突合溝
【図１】
2006241694.tif 000003
【図２】
2006241694.tif 000004
【図３】
2006241694.tif 000005
【図４】
2006241694.tif 000006
【図５】
2006241694.tif 000007
【図６】
2006241694.tif 000008